(57)【要約】【課題】作業環境の衛生状態を改善することができる防護服を提供する。【解決手段】防護服１は、人体の頭部を挿通するための開口部１１１を有し、人体に装着された状態で人体の前方を覆う前身頃１１と、人体に装着された状態で人体の後方における腰から頭に亘る部分の少なくとも一部を覆う後身頃１４と、前身頃１１と後身頃１４とに連続し人体に装着された状態で人体の両腕それぞれを覆う２つの袖部１２と、を備える。そして、防護服１の前身頃１１、後身頃１４および袖部１２は、それぞれ、ポリオレフィン樹脂と米糠とセルロースナノファイバとを含む米糠シートから連続一体に形成されている。【選択図】図１
0003232999.tif 000002
【実用新案登録請求の範囲】
【請求項１】
人体の頭部を挿通するための開口部を有し、人体に装着された状態で前記人体の前方を覆う前身頃と、
前記人体に装着された状態で前記人体の後方の少なくとも一部を覆う後身頃と、
前記前身頃と前記後身頃とに連続し前記人体に装着された状態で前記人体の両腕それぞれを覆う２つの袖部と、を備え、
前記前身頃、前記後身頃および前記２つの袖部は、それぞれ、ポリオレフィン樹脂と米糠とセルロースナノファイバとを含む米糠シートから連続一体に形成されている、
防護服。
【請求項２】
前記２つの袖部は、それぞれ、筒状であり、筒軸方向における前記前身頃および前記後身頃に連続する基端部から先端部に亘って延在する線状の接着部を有し、
前記前身頃および前記後身頃における、前記接着部の長手方向における前記前身頃および前記後身頃側の端部に隣接する部位に、切欠部が形成されている、
請求項１に記載の防護服。
【請求項３】
前記後身頃には、前記２つの袖部の基端部の並び方向に直交する方向に沿って延在する複数のスリットが形成されている、
請求項１または２に記載の防護服。
【考案の詳細な説明】
【技術分野】
【０００１】
本考案は、防護服に関する。
【背景技術】
【０００２】
人体の両肩および両腕を覆う略中空円筒形状の袖防護部材と、人体の胴を覆う略袋形状の胴防護部材と、を備える防護服が提案されている（例えば特許文献１参照）。ここで、袖防護部材および胴防護部材は、それぞれ、ポリエチレンのような合成樹脂の薄皮から形成されている。
【先行技術文献】
【特許文献】
【０００３】
【特許文献１】登録実用新案第３２２９４５７号公報
【考案の概要】
【考案が解決しようとする課題】
【０００４】
ところで、特許文献１に記載されているような防護服について、作業中に防護服に付着した菌の増殖を抑制するために、防護服の生地に抗菌作用を持たせることにより防護服を使用した作業環境の衛生状態を改善することが要請されている。
【０００５】
本考案は、上記事由に鑑みてなされたものであり、作業環境の衛生状態を改善することができる防護服を提供することを目的とする。
【課題を解決するための手段】
【０００６】
上記目的を達成するために、本考案に係る防護服は、
人体の頭部を挿通するための開口部を有し、人体に装着された状態で前記人体の前方を覆う前身頃と、
前記人体に装着された状態で前記人体の後方の少なくとも一部を覆う後身頃と、
前記前身頃と前記後身頃とに連続し前記人体に装着された状態で前記人体の両腕それぞれを覆う２つの袖部と、を備え、
前記前身頃、前記後身頃および前記２つの袖部は、それぞれ、ポリオレフィン樹脂と米糠とセルロースナノファイバとを含む米糠シートから連続一体に形成されている。
【考案の効果】
【０００７】
本考案によれば、防護服の前身頃、後身頃および袖部が、それぞれ、ポリオレフィン樹脂と米糠とセルロースナノファイバとを含む米糠シートから連続一体に形成されている。これにより、米糠に含まれるγ−オリザノール、フェルラ酸、フィチン等の抗菌作用を有する成分を防護服の前身頃、後身頃および袖部全体に含ませることができるので、その抗菌作用により防護服を使用する作業環境の衛生状態を改善することができる。
【図面の簡単な説明】
【０００８】
【図１】本考案の実施の形態に係る防護服の正面図である。
【図２】実施の形態に係る防護服の背面図である。
【図３】実施の形態に係る防護服の基となる基材の平面図である。
【考案を実施するための形態】
【０００９】
以下、本考案の実施の形態に係る防護服について、図面を参照しながら説明する。本実施の形態に係る防護服は、人体の頭部を挿通するための開口部を有し、人体に装着された状態で人体の前方を覆う前身頃と、人体に装着された状態で前記人体の後方の少なくとも一部を覆う後身頃と、前身頃と後身頃とに連続し人体に装着された状態で人体の両腕それぞれを覆う２つの袖部と、を備える。そして、防護服の前身頃、後身頃および２つの袖部は、それぞれ、ポリオレフィン樹脂と米糠とセルロースナノファイバとを含む米糠シートから連続一体に形成されている。
【００１０】
図１および図２に示すように、本実施の形態に係る防護服１は、前身頃１１と、前身頃１１と連続一体に形成され前身頃１１から背面側に延在する後身頃１４と、前身頃１１および後身頃１４と連続一体に形成され前身頃１１および後身頃１４の両側それぞれから延在する２つの袖部１２と、を備える。また、防護服１は、防護服１を人体に固定するための２つの固定用紐部１３を備える。
【００１１】
前身頃１１、後身頃１４、袖部１２および固定用紐部１３は、それぞれ、ポリオレフィン樹脂と米糠とセルロースナノファイバとを含む米糠シートから連続一体に形成されている。ここで、米糠シートに含まれる米糠の含有率は、５ｗｔ％以上５０ｗｔ％以下に設定されている。
【００１２】
前身頃１１は、人体の頭部を挿通するための開口部１１１を有し、人体に装着された状態で人体の前方を覆う。前身頃１１は、図１に示すように、開口部１１１側における主部１１ａと、主部１１ａにおける２つの袖部１２の基端部に連続する部分よりも−Ｚ方向側のＸ軸方向における両側それぞれから延出する２つの延出部１１ｂと、を有する。そして、２つの固定用紐部１３は、それぞれ、平面視でＶ字状に湾曲した形状を有し、１端部が延出部１１ｂの＋Ｚ方向側の端部に連続し、他端部が−Ｚ方向へ延在している。後身頃１４は、人体に装着された状態で人体の後方における背中から首元に亘る部分を覆う。後身頃１４には、２つの袖部１２の基端部の並び方向に直交する方向、即ち、Ｚ軸方向に沿って延在する２つのスリット１１３が形成されている。
【００１３】
２つの袖部１２は、それぞれ、前身頃１１と後身頃１４とに連続し、人体に装着された状態で人体の両腕を覆う。２つの袖部１２は、それぞれ、筒状であり、筒軸方向における前身頃１１および後身頃１４に連続する基端部から先端部に亘って延在する線状の接着部１２２を有する。また、２つの袖部１２それぞれの先端部には、利用者が防護服１の装着する際に指を引っ掛けるための貫通孔１２１が形成されている。そして、前身頃１１および後身頃１４における、袖部１２の接着部１２２の長手方向における前身頃１１および後身頃１４側の端部に隣接する部位には、切欠部１１２が形成されている。
【００１４】
次に、本実施の形態に係る防護服の製造方法について説明する。まず、１枚の米糠シートを準備する。この米糠シートは、ポリオレフィン樹脂と、米糠と、セルロースナノファイバを、水の存在下でポリオレフィン樹脂が熱流動し且つ米糠に含まれる澱粉がα化して熱可塑化する温度で維持しつつ水蒸気の解放を行いながら混練した後、熱流動温度以下に冷却して固化することにより樹脂ペレットを生成し、その後、樹脂ペレットを延伸して薄膜化することにより得られる。ここで、米糠は、玄米の精米過程で除去される部分に相当する。米糠としては、玄米質量に対する白米質量の割合である精米歩合が９０％乃至５０％となるように玄米を精米したときに玄米から除去される部分であり、粒径が１００μｍ以上１０００μｍ以下のものを採用することができる。また、米糠の配合量は、５ｗｔ％以上５０ｗｔ％以下である。ポリオレフェン樹脂としては、エチレン、プロピレン、１−ブテン、４−メチル−１−ペンテン、１−ヘキセンおよび１−オクテン等のホモ重合体、共重合体または多段重合体等を採用することができる。また。重合体としては、低密度ポリエチレン、線状低密度ポリエチレン、中密度ポリエチレン、高密度ポリエチレン、アイソタクティックポリプロピレン、アタクティックポリプロピレン、エチレン−プロピレンランダム共重合体、ポリブテン、エチレンプロピレンラバー等を採用することができる。なお、ポリオレフィン樹脂は、前述のホモ重合体、共重合体および多段重合体の群から選択される複数種のポリオレフィンを混合したものであってもよい。但し、ポリオレフィン樹脂の融点が、米糠に含まれるγ−オリザノール、フェルラ酸またはフィチン等の抗菌作用を発揮する成分を熱劣化させない範囲となるように設定される。また、セルロースナノファイバは、ポリオレフィン樹脂に分散された状態で繊維径がナノメートルオーダとなるものが好ましい。また、繊維表面に存在する水酸基の一部が多塩基酸モノエステル化されたセルロースナノファイバは、親油性が向上するため、ポリオレフィン樹脂中に均一に分散され易い。このため、セルロースナノファイバとして、多塩基酸モノエステル化されたセルロースナノファイバを採用することが好ましい。また、セルロースナノファイバは、前述のように多塩基酸モノエステル化した後、ヒドロキシプロピル化等の処理が施されたものであってもよい。
【００１５】
次に、１枚の米糠シートから図３に示すような形状を有するシート状の基材１００を打ち抜く。なお、図３において、図１および図２と同様の構成については同一の符号を付している。基材１００は、前身頃１１、後身頃１４および袖部１２それぞれの基となる第１部位１０１１、第２部位１０１４および第３部位１０１２を有する。第１部位１０１１および第２部位１０１４における２つの第３部位１０１２それぞれの第１部位１０１１、第２部位１０１４側の端部に隣接する４つの部分には、それぞれ、切欠部１１１２ａ、１１１２ｂが形成されている。
【００１６】
続いて、基材１００をＸ軸方向に延在する折り曲げ線ＬＢにおいて折り曲げた後、基材１００における折り曲げ線ＬＢの＋Ｚ方向側の部分を、基材１００における折り曲げ線ＬＢの−Ｚ方向側の部分に重ね合わせる。このとき、基材１００における折り曲げ線ＬＢよりも＋Ｚ方向側に位置する切欠部１１１２ｂが基材１００における折り曲げ線ＬＢよりも−Ｚ方向側に位置する切欠部１１１２ａと重なるようにする。
【００１７】
その後、基材１００における第３部位１０１２の−Ｚ方向側の端部を接着することにより、図１および図２に示す接着部１２２が形成され防護服１を得る。ここで、第３部位１０１２の−Ｚ方向側の端部は、接着剤を用いて接着してもよいし、熱溶着により接着してもよい。
【００１８】
以上説明したように、本実施の形態に係る防護服１は、前身頃１１、後身頃１４および２つの袖部１２が、それぞれ、ポリオレフィン樹脂と米糠とセルロースナノファイバとを含む米糠シートから連続一体に形成されている。これにより、米糠に含まれるγ−オリザノール、フェルラ酸、フィチン等の抗菌作用を有する成分を防護服１の前身頃１１、後身頃１４および袖部１２全体に含ませることができるので、その抗菌作用により防護服１を使用する作業環境の衛生状態を改善することができる。
【００１９】
また、本実施の形態に係る２つの袖部１２は、それぞれ、筒状であり、筒軸方向における前身頃１１および後身頃１４に連続する基端部から先端部に亘って延在する線状の接着部１２２を有する。そして、前身頃１１および後身頃１４における、接着部１２２の長手方向における前身頃１１および後身頃１４側の端部に隣接する部位に、切欠部１１２が形成されている。これにより、接着部１２２に加わるストレスを緩和することができるので、接着部１２２の剥がれの発生を抑制することができる。
【００２０】
更に、本実施の形態に係る後身頃１４には、Ｚ軸方向に沿って延在する２つのスリット１１３が形成されている。これにより、後身頃１４のＸ軸方向への伸縮性を高めることができるので、防護服１を装着した利用者の着心地を良くすることができる。
【００２１】
以上、本考案の実施の形態について説明したが、本考案は前述の実施の形態の構成に限定されるものではない。例えば後身頃１４に３つ以上のスリットが形成されているものであってもよい。
【００２２】
以上、本考案の実施の形態および変形例について説明したが、本考案はこれらに限定されるものではない。本考案は、実施の形態および変形例が適宜組み合わされたもの、それに適宜変更が加えられたものを含む。
【産業上の利用可能性】
【００２３】
本考案は、衛生状態の良い作業環境で行う作業に使用する防護服として好適である。
【符号の説明】
【００２４】
１：防護服、１１：前身頃、１１ａ：主部、１１ｂ：延出部、１２：袖部、１３：固定用紐部、１４：後身頃、１００：基材、１１１：開口部、１１２，１１１２ａ，１１１２ｂ：切欠部、１１３：スリット、１２１：貫通孔、１２２：接着部、１０１１：第１部位、１０１２：第３部位、１０１４：第２部位、ＬＢ：折り曲げ線
【図１】
0003232999.tif 000003
【図２】
0003232999.tif 000004
【図３】
0003232999.tif 000005